(57)【要約】【課題】シェルが開くことを抑制する。【解決手段】電線１１と接続される端子１２であって、端子本体１５と、シェルと、を備え、前記端子本体１５は前記電線１１を挟む挟持部１８Ａ，１８Ｂを有し、前記シェルは、前記挟持部１８Ａ，１８Ｂを覆う筒部６０を有するとともに、前記筒部６０の内壁から突出して設けられ前記挟持部１８Ａ，１８Ｂを前記電線１１に向かって押圧する加圧部２５Ａ，２５Ｂを有し、前記筒部６０は、底壁５０と、前記底壁５０の一方の側縁から立ち上がる第１側壁と、前記底壁５０の他方の側縁から立ち上がる第２側壁と、前記第１側壁から前記第２側壁に向けて延びるとともに前記底壁５０と対向する天井壁５３と、前記第２側壁から前記第１側壁に向けて延びるともに前記天井壁５３の外方に重なる押え部５４と、を有する端子１２。【選択図】図６
2020202128.tif 000002
【特許請求の範囲】
【請求項１】
電線と接続される端子であって、
端子本体と、シェルと、を備え、
前記端子本体は前記電線を挟む挟持部を有し、
前記シェルは、前記挟持部を覆う筒部を有するとともに、前記筒部の内壁から突出して設けられ前記挟持部を前記電線に向かって押圧する加圧部を有し、
前記筒部は、底壁と、前記底壁の一方の側縁から立ち上がる第１側壁と、前記底壁の他方の側縁から立ち上がる第２側壁と、前記第１側壁から前記第２側壁に向けて延びるとともに前記底壁と対向する天井壁と前記第２側壁から前記第１側壁に向けて延びるともに前記天井壁の外方に重なる押え部と、を有する端子。
【請求項２】
前記押え部は前記第１側壁に沿いつつ前記底壁に向かって屈曲する屈曲部を有し、
前記第１側壁は前記屈曲部を受け入れる受け凹部を有し、
前記屈曲部は、前記受け凹部の孔縁と係合する屈曲係合部を有する、請求項１に記載の端子。
【請求項３】
前記屈曲係合部は、前記屈曲部の幅方向の両側に突出して形成されている、請求項２に記載の端子。
【請求項４】
前記天井壁は前記第２側壁に向かって突出する係合突片を有し、前記第２側壁は前記係合突片を受け入れる係合孔を有する、請求項１から請求項３のいずれか１項に記載の端子。
【請求項５】
前記加圧部は、前記底壁および前記天井壁の少なくとも一方に設けられている、請求項１から請求項４のいずれか１項に記載の端子。
【請求項６】
前記シェルは、前記端子本体に対して、前記電線の延び方向に沿ってスライド可能に配されている請求項１から請求項５のいずれか１項に記載の端子。
【請求項７】
請求項１から請求項６のいずれか１項に記載の端子と、
前記端子に接続された電線と、を備えた端子付き電線。
【発明の詳細な説明】
【技術分野】
【０００１】
従来より、電線の端末から露出する芯線に端子が接続された端子付き電線が知られている。このような端子として、例えば、電線の端末から露出する芯線に外側から圧着する圧着部を備えるものがある。
【０００２】
上記の端子を電線に圧着するには、例えば以下のようにする。まず、金属板材をプレス加工することにより所定の形状の端子を成形する。続いて、上下方向に相対移動可能な一対の金型のうち下側に位置する下型の載置部に、端子を載置する。続いて、電線の端末から露出された芯線を、端子の圧着部に重ねて載置する。その後、一対の金型の一方又は双方を互いに接近する方向に移動させ、上型の圧着部と、下型の載置部との間で圧着部を挟み付けることにより、圧着部を電線の芯線に圧着する。以上により、電線の端末に端子が接続される（特許文献１参照）。
【先行技術文献】
【特許文献】
【０００３】
【特許文献１】特開２００５−５０７３６号公報
【発明の概要】
【発明が解決しようとする課題】
【０００４】
上記の圧着部に代えて、電線を挟んで接続するとした場合、電線を挟持する挟持部を有する端子本体と、挟持部の外側に配されたシェルとの２部品で端子を構成することがあり得る。この場合、シェルによって挟持部を電線に向かって押圧させることにより、端子と電線とを接続する。このため、シェルが電線からの反力によって開かないようにすることが求められる。
【０００５】
本明細書に開示された技術は上記のような事情に基づいて完成されたものであって、シェルが開くことが抑制された端子を提供することを目的とする。
【課題を解決するための手段】
【０００６】
本開示は、電線と接続される端子であって、端子本体と、シェルと、を備え、前記端子本体は前記電線を挟む挟持部を有し、前記シェルは、前記挟持部を覆う筒部を有するとともに、前記筒部の内壁から突出して設けられ前記挟持部を前記電線に向かって押圧する加圧部を有し、前記筒部は、底壁と、前記底壁の一方の側縁から立ち上がる第１側壁と、前記底壁の他方の側縁から立ち上がる第２側壁と、前記第１側壁から前記第２側壁に向けて延びるとともに前記底壁と対向する天井壁と前記第２側壁から前記第１側壁に向けて延びるともに前記天井壁の外方に重なる押え部と、を有する。
【発明の効果】
【０００７】
本開示によれば、シェルが開くことを抑制できる。
【図面の簡単な説明】
【０００８】
【図１】図１は、本開示にかかる端子付き電線を示す分解断面図である。
【図２】図２は、端子付き電線を示す断面図である。
【図３】図３は、端子付き電線を示す斜視図である。
【図４】図４は、端子付き電線を示す左側面図である。
【図５】図５は、端子付き電線を示す右側面図である。
【図６】図６は、図４におけるＶＩ-ＶＩ線断面図である。
【図７】図７は、スライド部を示す斜視図である。
【図８】図８は、スライド部を形成する金属板材を示す斜視図である。
【図９】図９は、金属板材が曲げ加工されたことにより、底壁と、左側壁と、右側壁とが形成された状態を示す斜視図である。
【図１０】図１０は、屈曲部が屈曲させられる前の工程を示す斜視図である。
【図１１】図１１は、仮想的な技術にかかる端子を示す断面図である。
【図１２】図１２は、仮想的な技術にかかるスライド部が開いた状態を示す断面図である。
【発明を実施するための形態】
【０００９】
［本開示の実施形態の説明］
最初に本開示の実施態様が列挙されて説明される。
【００１０】
（１）本開示は、電線と接続される端子であって、端子本体と、シェルと、を備え、前記端子本体は前記電線を挟む挟持部を有し、前記シェルは、前記挟持部を覆う筒部を有するとともに、前記筒部の内壁から突出して設けられ前記挟持部を前記電線に向かって押圧する加圧部を有し、前記筒部は、底壁と、前記底壁の一方の側縁から立ち上がる第１側壁と、前記底壁の他方の側縁から立ち上がる第２側壁と、前記第１側壁から前記第２側壁に向けて延びるとともに前記底壁と対向する天井壁と前記第２側壁から前記第１側壁に向けて延びるともに前記天井壁の外方に重なる押え部と、を有する。
【００１１】
加圧部が筒部の内壁に設けられているので、筒部には、加圧部を介して電線から大きな力が加えられる。このように、筒部の内部から外部へ向かう力が加えられるので、筒部が開くおそれがある。本開示においては押え部が天井壁の外方から天井壁を押さえることにより、天井壁に対して上方に開かせようとする力が電線から加えられた場合でも、天井壁が開きにくくなる。
【００１２】
（２）前記押え部は前記第１側壁に沿いつつ前記底壁に向かって屈曲する屈曲部を有し、前記第１側壁は前記屈曲部を受け入れる受け凹部を有し、前記屈曲部は、前記受け凹部の孔縁と係合する屈曲係合部を有することが好ましい。
【００１３】
屈曲係合部が受け凹部の孔縁と係合することにより、屈曲部が底壁から離れる方向に移動することが抑制される。これにより、屈曲部が設けられた押え部が底壁から離れる方向に移動することが抑制される。この結果、押え部の内方に位置する天井壁を、より開きにくくすることができる。
【００１４】
（３）前記屈曲係合部は、前記屈曲部の幅方向の両側方に突出して形成されていることが好ましい。
【００１５】
上記の構成により、受け凹部の孔縁によって、屈曲係合部を底壁から離れる方向に移動させようとする力を、幅方向について均等に受けることができる。この結果、押え部が幅方向に歪むことを抑制できる。これにより、端子と電線との電気的な接続信頼性が低下することを抑制できる。
【００１６】
（４）前記天井壁は前記第２側壁に向かって突出する係合突片を有し、前記第２側壁は前記係合突片を受け入れる係合孔を有することが好ましい。
【００１７】
係合突片が係合孔の孔縁と係合することにより、第２側壁が開き変形することを抑制することができる。
【００１８】
（５）前記加圧部は、前記底壁および前記天井壁の少なくとも一方に設けられていることが好ましい。
【００１９】
電線を加圧する加圧部が設けられた底壁または天井壁が開くことを確実に抑制できる。
【００２０】
（６）前記シェルは、前記端子本体に対して、前記電線の延び方向に沿ってスライド可能に配されている。
【００２１】
上記の構成によれば、シェルをスライドさせるという簡易な手法により、端子と電線とを接続できるので、端子と電線との接続作業の効率を向上させることができる。
【００２２】
（７）本開示にかかる端子付き電線は、上記（１）から（６）のいずれか１つに記載の端子と、前記端子に接続された電線と、を備える。
【００２３】
［本開示の実施形態の詳細］
以下に、本開示の実施形態が説明される。本発明はこれらの例示に限定されるものではなく、特許請求の範囲によって示され、特許請求の範囲と均等の意味および範囲内での全ての変更が含まれることが意図される。
【００２４】
＜実施形態１＞
本開示の実施形態１が図１から図１２を参照しつつ説明される。本実施形態にかかる端子付き電線１０は、電線１１と、電線１１に接続される端子１２とを備える。以下の説明では、矢線Ｚの示す向きを上とし、矢線Ｙの示す向きを前とし、矢線Ｘの示す向きを左として説明する。なお、複数の同一部材については、一部の部材にのみ符号を付し、他の部材の符号を省略する場合がある。
【００２５】
［電線１１］
図１に示されるように、電線１１は、前後方向（延び方向の一例）に延びて配されている。電線１１は、芯線１３の外周を絶縁性の合成樹脂からなる絶縁被覆１４で包囲されている。本実施形態にかかる芯線１３は、１本の金属線からなる。なお、芯線１３は複数の金属細線が撚り合わされてなる撚線であってもよい。芯線１３を構成する金属は、銅、銅合金、アルミニウム、アルミニウム合金等、必要に応じて任意の金属を適宜に選択できる。本実施形態にかかる芯線１３は銅、または銅合金からなる。
【００２６】
［端子１２］
図１に示されるように、端子１２は、金属製の端子本体１５と、端子本体１５に対して相対的にスライド移動可能なスライド部１６（シェルの一例）と、を備える。
【００２７】
［端子本体１５］
端子本体１５はプレス加工、切削加工、鋳造等、公知の手法により所定の形状に形成される。端子本体１５を構成する金属は、銅、銅合金、アルミニウム、アルミニウム合金、ステンレス鋼等、必要に応じて任意の金属を適宜に選択できる。本実施形態にかかる端子本体１５は、銅、又は銅合金からなる。端子本体１５の表面にはめっき層が形成されていてもよい。めっき層を構成する金属は、スズ、ニッケル、銀等必要に応じて任意の金属を適宜に選択できる。本実施形態にかかる端子本体１５にはスズめっきが施されている。
【００２８】
図１に示されるように、端子本体１５は、図示しない相手方端子が挿入可能な接続筒部１７と、接続筒部１７の後方に位置して電線１１と接続される電線接続部２０を有する。電線接続部２０は後方に延出された上側挟持部１８Ａおよび下側挟持部１８Ｂと、を備える。
【００２９】
図１に示すように、接続筒部１７は前後方向に延びる角筒状をなしている。接続筒部１７の前端は相手方端子が挿入可能に開口されている。接続筒部１７の内部には、図示しない弾性接触片が配されている。接続筒部１７内に挿入された相手方端子に、弾性接触片に弾性的に接触することにより、接続筒部１７と相手方端子とが電気的に接続される。
【００３０】
図１に示されるように、接続筒部１７の後方には角筒状をなす電線接続部２０が設けられている。電線接続部２０の上壁の後端部には上側挟持部１８Ａ（挟持部の一例）が後方に延びて設けられており、電線接続部２０の下壁の後端部には下側挟持部１８Ｂ（挟持部の一例）が後方に延びて設けられている。上側挟持部１８Ａと下側挟持部１８Ｂは前後に延びた細長い形状をなしている。上側挟持部１８Ａと下側挟持部１８Ｂの前後方向の長さ寸法は略同じに形成されている。
【００３１】
上側挟持部１８Ａの下面には、後端部よりも前方の位置に、下方に突出する上側保持突部２３Ａが設けられている。下側挟持部１８Ｂの上面の後端部には、上方に突出する下側保持突部２３Ｂが設けられている。下側保持突部２３Ｂと、上側保持突部２３Ａとは、前後方向についてずれた位置に設けられている。
【００３２】
上側挟持部１８Ａの下面、および下側挟持部１８Ｂの上面が、芯線１３の表面に形成された酸化被膜に食い込んで酸化被膜を剥がすことにより、芯線１３の金属表面を露出させるようになっている。この金属表面と、上側挟持部１８Ａおよび下側挟持部１８Ｂとが接触することにより、芯線１３と端子本体１５とが電気的に接続される。
【００３３】
［スライド部１６」
図１に示されるように、スライド部１６は、前後方向に延びる角筒状をなす筒部６０を有する。スライド部１６の製造方法は特に限定されないが、本実施形態では、金属板材７０をプレス加工することにより形成される。スライド部１６を構成する金属は、銅、銅合金、アルミニウム、アルミニウム合金、ステンレス鋼等、必要に応じて任意の金属を適宜に選択できる。本実施形態にかかるスライド部１６は、特に限定されないが、ステンレス鋼からなる。スライド部１６の表面にはめっき層が形成されていてもよい。めっき層を構成する金属は、スズ、ニッケル、銀等必要に応じて任意の金属を適宜に選択できる。
【００３４】
図２に示されるように、筒部６０の上面は、前後方向の中央付近よりも前方の部分が、後方の部分よりも上方に位置するように形成されている。これにより、筒部６０の前半部分の上端部と、筒部６０の後半部分の上端部との間には上下方向について段差が形成されている。この段差は、後述する治具４５が接触する治具接触部４６とされる。
【００３５】
図２に示されるように、筒部６０は、前後方向に細長く延びる底壁５０を備える。図３および図４に示されるように、スライド部１６は、底壁５０の左側縁から上方に立ち上がる左側壁５１（第１側壁の一例）を備える。図５に示されるように、筒部６０は、底壁５０の右側縁から上方に立ち上がる右側壁５２（第２側壁の一例）を備える。図６に示されるように、筒部６０は、左側壁５１の上端縁から右方（右側壁５２に向かう方向）に向けて屈曲するとともに底壁５０と対向する天井壁５３と、右側壁５２の上端縁から左方（左側壁５１に向かう方向）に向けて屈曲するとともに天井壁５３の上方に重なる押え部５４と、を有する。
【００３６】
図１に示されるように、筒部６０の後半部分には、天井壁５３の下面６１（内壁の一例）に、下方に突出する上側加圧部２５Ａ（加圧部の一例）が設けられている。筒部６０の底壁５０の上面６２（内壁の一例）には、上方に突出する下側加圧部２５Ｂ（加圧部の一例）が設けられている。上側加圧部２５Ａの前面および下側加圧部２５Ｂの前面には傾斜面が形成されている。これにより、上側挟持部１８Ａの後端部および下側挟持部１８Ｂの後端部が、それぞれ、上側加圧部２５Ａおよび下側加圧部２５Ｂへとガイドされる。
【００３７】
図４および図５に示されるように、筒部６０の左側壁５１および右側壁５２には、前後方向の前端部寄りの位置に、仮係止受け部２６が開口されている。また、筒部６０の左側壁５１および右側壁５２には、仮係止受け部２６よりも後方の位置に、本係止受け部２７が開口されている。仮係止受け部２６と、本係止受け部２７は、端子本体１５の側壁に設けられた係止突起２８と弾性的に係止可能になっている。
【００３８】
端子本体１５の係止突起２８と筒部６０の仮係止受け部２６とが係止した状態は、端子本体１５に対してスライド部１６が仮係止位置に保持された状態となっている（図１参照）。この状態においては、筒部６０の上側加圧部２５Ａおよび下側加圧部２５Ｂは、端子本体１５の上側挟持部１８Ａおよび下側挟持部１８Ｂの後端縁から後方に離間している。また、この状態においては、上側挟持部１８Ａと下側挟持部１８Ｂとの間の間隔は、芯線１３の直径よりも大きく設定されている。
【００３９】
端子本体１５の係止突起２８と筒部６０の本係止受け部２７とが係止した状態は、端子本体１５に対してスライド部１６が本係止位置に係止された状態となっている（図２参照）。この状態においては、筒部６０の天井壁５３の下面６１に形成された上側加圧部２５Ａは、上側挟持部１８Ａの上方から上側挟持部１８Ａに接触している。また、筒部６０の底壁５０の上面６２に形成された下側加圧部２５Ｂは、下側挟持部１８Ｂの下方から下側挟持部１８Ｂに接触している。
【００４０】
上記のように、スライド部１６は、端子本体１５のうち上側挟持部１８Ａと下側挟持部１８Ｂとが設けられた領域に外嵌された状態で、上記した仮係止位置と、本係止位置との間を、前後方向にスライド移動可能になっている。
【００４１】
図２に示されるように、スライド部１６が端子本体１５に対して本係止位置で保持された状態では、上側加圧部２５Ａが上方から上側挟持部１８Ａを押圧することによって上側挟持部１８Ａが下方に変形するようになっている。また、下側加圧部２５Ｂが下方から下側挟持部１８Ｂを押圧することによって下側挟持部１８Ｂが上方に変形するようになっている。これにより、上側挟持部１８Ａと下側挟持部１８Ｂとの間の空間に、芯線１３を前後方向（延び方向）に延びた状態で配し、且つ、スライド部１６が端子本体１５に対して本係止位置で保持した状態では、芯線１３は、弾性変形した上側挟持部１８Ａと下側挟持部１８Ｂによって上下方向から挟持されるようになっている。すなわち、上側挟持部１８Ａは上側加圧部２５Ａに下方に押圧されることにより芯線１３に上方から接触し、下側挟持部１８Ｂは下側加圧部２５Ｂに上方に押圧されることにより芯線１３に下方から接触するようになっている。
【００４２】
図２に示されるように、スライド部１６が端子本体１５に対して本係止位置で保持された状態では、上側挟持部１８Ａの上側保持突部２３Ａが芯線１３を上方から押圧し、下側挟持部１８Ｂの下側保持突部２３Ｂが芯線１３を下方から押圧する。このように、芯線１３は、上側保持突部２３Ａによって上方から押圧されるとともに、上側保持突部２３Ａと前後方向にずれた位置に配された下側保持突部２３Ｂによって下方から押圧されることにより、上下方向（延び方向と交差する方向の一例）について屈曲した状態に保持される。また、上側保持突部２３Ａと、下側保持突部２３Ｂとによっても、芯線１３と端子１２とが電気的に接続されるようになっている。
【００４３】
図２に示されるように、スライド部１６の上部には、前半部分と後半部分との境界に、治具接触部４６が形成されている。治具接触部４６に後方から治具４５が接触して、この治具４５によってスライド部１６が前方に押されることにより、スライド部１６が前方に移動可能になっている。なお、上記の治具４５は、金型や、この金型を稼働させるための設備に比べて、比較的に小規模なものとなっている。このため、治具４５に起因するコストの増大は抑制される。
【００４４】
図１に示されるように、筒部６０の後端部寄りの位置には、左右両側壁に、スライド部１６の内方に突出する一対の誘い込み部４７が設けられている。誘い込み部４７は、後方から前方に向かうに従って幅狭に形成されている。誘い込み部４７の内面に芯線１３が摺接することにより、芯線１３はスライド部１６の内部へと案内される。
【００４５】
［開き抑制構造］
スライド部１６が開くことを抑制する構造について説明する。図６に示されるように、天井壁５３の上方には押え部５４が重ねられている。押え部５４は、天井壁５３の上方をほぼ覆うように重ねられている。これにより、天井壁５３に、天井壁５３を上方に開かせようとする力が加えられた場合でも、押え部５４によって、天井壁５３が上方に開くことが抑制されるようになっている。
【００４６】
図５に示されるように、スライド部１６の後半部分のうち前後方向について中央付近には、右側壁５２の上端部に、係合孔５５が貫通されている。図６に示されるように、係合孔５５は、右側壁５２の上端部から押え部５４の右端部にかけて形成されている。係合孔５５の内部には、天井壁５３の右端部に形成された係合突片５６が左方から嵌入している。係合突片５６の右端部は、右側壁５２の右方には突出しないようになっている。係合突片５６は、係合孔５５の孔縁の上方に重なるようになっている。これにより、右側壁５２に、右側壁５２が右方に開き変形する方向の力が加えられた場合でも、係合突片５６が上方から右側壁５２を押さえることにより、右側壁５２が右方に開くことが抑制されるようになっている。
【００４７】
図７に示されるように、スライド部１６の後半部分のうち前後方向について中央付近には、左側壁５１の上端部から下方に向けて、後述する屈曲部５７を受け入れる受け凹部５８が形成されている。左方から見て、受け凹部５８は、下端部が前方および後方に広がった形状に形成されている。
【００４８】
図４および図７に示されるように、受け凹部５８内には、屈曲部５７が収容されている。受け凹部５８の内形状は、屈曲部５７の外形状よりもやや大きく形成されている。屈曲部５７は、押え部５４の右端部から下方に向けて屈曲している。屈曲部５７の下端部は、前後方向（屈曲部５７の幅方向の一例）について膨出した形状に形成されている。屈曲部５７の下端部から前方に突出した部分、および後方に突出した部分は、受け凹部５８の孔縁部に下方から接触することにより、屈曲部５７が上方に移動することが抑制されるようになっている。このように、屈曲部５７の下端部から前方に突出した部分と、後方に突出した部分は、屈曲係合部５９とされる。
【００４９】
［端子付き電線１０の製造工程]
続いて、本実施形態にかかる端子付き電線１０の製造工程の例について説明する。端子付き電線１０の製造工程は以下の記述に限定されない。
【００５０】
図視しない金属板材を公知の方法でプレス加工することにより、端子本体１５が形成される。
【００５１】
金属板材７０を図８に示される形状にプレス加工する。なお、図８から図９においては、金属板材７０の厚さについて、強調して記載されている。
【００５２】
図８に示されるように、底壁５０の左側縁および右側縁を上方に曲げ加工することにより、左側壁５１および右側壁５２を形成する。次に、左側壁５１の上端部を左方に直角曲げすることにより天井壁５３を形成する。その後、図１０に示されるように、右側壁５２の上端部を右方に直角曲げすることにより天井壁５３の上方に押え部５４が重ねられる。その後、屈曲部５７が下方に直角曲げされて、受け凹部５８内に嵌め入れられる（図７参照）。なお、詳細には図示しないが、スライド部が形成される工程内で、底壁５０には下側加圧部２５Ｂが形成され、天井壁５３には上側加圧部２５Ａが形成される。これにより、スライド部１６が形成される。
【００５３】
端子本体１５に対して、後方からスライド部１６が組み付けられる。端子本体１５の係止突起２８に後方からスライド部１６の前端縁が当接し、スライド部１６の側壁が拡開変形する。更にスライド部１６が前方に押し込まれると、スライド部１６の側壁が復帰変形し、端子本体１５の係止突起２８に、スライド部１６の仮係止受け部２６が係止する。これにより、端子本体１５に対してスライド部１６が仮係止位置に保持される。これにより端子１２が得られる（図１参照）。
【００５４】
公知の手法で絶縁被覆１４が皮剥ぎ加工されることにより電線１１の芯線１３が露出される。芯線１３の前端部が、スライド部１６の後端部からスライド部１６の内部へと導入される。芯線１３はスライド部１６の誘い込み部４７と当接することにより、スライド部１６へと案内される。更に電線１１が前方に押し込まれると、芯線１３の前端部は端子本体１５の内部へと進入して上側挟持部１８Ａと下側挟持部１８Ｂとの間の空間内に至る。
【００５５】
端子本体１５に対してスライド部１６が仮係止位置に保持された状態では、上側挟持部１８Ａと下側挟持部１８Ｂとの間隔は、芯線１３の外径寸法よりも大きく設定されている。
【００５６】
次に、図２に示すように、治具４５を後方から治具接触部４６に当接させて、スライド部１６を前方にスライド移動させる。スライド部１６は端子本体１５に対して相対的に前方に移動させられる。このとき、端子本体１５の係止突起２８と、スライド部１６の仮係止受け部２６との係止が外れ、スライド部１６の側壁が係止突起２８に乗り上げて拡開変形する。
【００５７】
スライド部１６が前方に移動させられると、スライド部１６の側壁が復帰変形して端子本体１５の係止突起２８と、スライド部１６の本係止受け部２７とが弾性的に係止する。これによりスライド部１６が端子本体１５に対して本係止位置に保持される。
【００５８】
スライド部１６が端子本体１５に対して本係止位置に保持された状態で、スライド部１６の上側加圧部２５Ａが、端子本体１５の上側挟持部１８Ａに上方から当接して下方へと押圧する。また、スライド部１６の下側加圧部２５Ｂが、端子本体１５の下側挟持部１８Ｂに下方から当接して上方へと押圧する。これにより、芯線１３が、上側挟持部１８Ａと下側挟持部１８Ｂに上下から挟持される（図２参照）。
【００５９】
図２に示されるように、上側挟持部１８Ａの下面と、下側挟持部１８Ｂの上面とに芯線１３が挟まれることにより、芯線１３の表面に形成された酸化被膜が剥がされ、芯線１３を構成する金属表面が露出する。この金属表面と、上側挟持部１８Ａおよび下側挟持部１８Ｂが接触することにより、電線１１と端子１２とが電気的に接続される。
【００６０】
芯線１３が上側挟持部１８Ａと下側挟持部１８Ｂに上下から挟持された状態においては、芯線１３は、上側挟持部１８Ａの上側保持突部２３Ａと、下側挟持部１８Ｂの下側保持突部２３Ｂとに挟まれることにより、前後方向に延びた状態で、且つ、上下方向に屈曲した状態で保持される。これにより、芯線１３を強固に保持することができるので、電線１１に引っ張り力が作用した場合に、電線１１と端子１２との保持力を高めることができる。これにより、端子付き電線１０が完成する。
【００６１】
［課題の説明］
本実施形態の作用効果を説明するために、図１１および図１２に示されるように、押え部５４、屈曲部５７、屈曲係合部５９、係合突片５６、および係合孔５５を有しない仮想的な技術にかかる端子１１２について説明する。なお、仮想的な技術にかかる端子１１２の符号については、実施形態１と対応する部材について、実施形態１に用いられた符号に１００を加えた数字を用いる。
【００６２】
図１１に示されるように、仮想的な技術にかかる端子１１２において、芯線１１３が上側挟持部１１８Ａと下側挟持部１１８Ｂとに挟まれている場合、芯線１１３からの反力によって、スライド部１１６の天井壁１５３に対しては上向きの力加えられ、底壁１５０に対しては下向きの力が加えられる。すると、スライド部１１６の左側壁１５１には、左側壁１５１の下端部を支点として、左側壁５１を図１１における反時計回り方向（矢線Ａで示される方向）に回転させようとする力が働く。これにより、天井壁１５３については、上方に開かせようとする力と、左側壁１５１とともに反時計回り方向に回転させようとする力が加わる。
【００６３】
一方、スライド部１１６の右側壁１５２には、右側壁１５２の下端部を支点として、右側壁１５２を図１１における時計回り方向（矢線Ｂで示される方向）に回転させようとする力が働く。
【００６４】
上記の結果、図１２において二点鎖線で示されるように、スライド部１１６が開いてしまう。詳細には、左側壁１５１は左側壁１５１の下端部を支点として図１２における反時計回り方向（矢線Ａで示される方向）に回転し、右側壁１５２は右側壁１５２の下端部を支点として図１２における時計回り方向（矢線Ｂで示される方向）に回転する。すると、芯線１１３が、上側挟持部１１８Ａおよび下側挟持部と１１８Ｂの間からずれる。これにより、上側挟持部１１８Ａと下側挟持部１１８Ｂとによって芯線を１１３十分な圧力で挟持することができなくなり、芯線１１３と端子１１２との電気的な接続信頼性が低下するという問題が懸念される。
【００６５】
［本実施形態の作用効果］
続いて、本実施形態の作用効果について説明する。本実施形態にかかる端子１２は、電線１１と接続される端子１２であって、端子本体１５、スライド部１６と、を備え、端子本体１５は電線１１を挟む上側挟持部１８Ａおよび下側挟持部１８Ｂを有し、スライド部１６は、上側挟持部１８Ａおよび下側挟持部１８Ｂを覆う筒部を有するとともに、筒部６０の天井壁５３の下面６１から突出して設けられた上側挟持部１８Ａおよび筒部６０の底壁５０の上面６２から突出して設けられた下側挟持部１８Ｂを電線１１に向かってそれぞれ押圧する上側加圧部２５Ａおよび下側加圧部２５Ｂを有し、筒部６０は、底壁５０と、底壁５０の左側縁から立ち上がる左側壁５１と、底壁５０の右側縁から立ち上がる右側壁５２と、左側壁５１から右側壁５２に向けて延びるとともに底壁５０と対向する天井壁５３と、右側壁５２から左側壁５１に向けて延びるともに天井壁５３の外方に重なる押え部５４と、を有する。
【００６６】
また、本実施形態にかかる端子付き電線１０は、端子１２と、端子１２に接続された電線１１と、を備える。
【００６７】
上側加圧部２５Ａおよび下側加圧部２５Ｂが、それぞれ、筒部６０の天井壁５３の下面６１および底壁５０の上面６２に設けられているので、筒部６０には、上側加圧部２５Ａおよび下側加圧部２５Ｂを介して電線１１の芯線１３から大きな力が加えられる。このように、筒部６０の内部から外部へ向かう力が加えられるので、筒部６０が開くおそれがある。本実施形態においては、押え部５４が天井壁５３の上方から天井壁５３を押さえることにより、天井壁５３に対して上方に開かせようとする力が電線１１から加えられた場合でも、天井壁５３が上方に開きにくくなる。
【００６８】
また、本実施形態によれば、押え部５４は左側壁５１に沿いつつ底壁５０に向かって屈曲する屈曲部５７を有し、左側壁５１は屈曲部５７を受け入れる受け凹部５８を有し、屈曲部５７は、受け凹部５８の孔縁と係合する屈曲係合部５９を有する。
【００６９】
屈曲係合部５９が受け凹部５８の孔縁と下方から係合することにより、屈曲部５７が上方に移動することが抑制される。これにより、屈曲部５７が設けられた押え部５４が上方に移動することが抑制される。この結果、押え部５４の下方に位置する天井壁５３が上方に開くことを確実に抑制できる。
【００７０】
本実施形態によれば、屈曲係合部５９は、屈曲部５７の下端部において、前方および後方の双方に突出して形成されている。これにより、受け凹部５８の孔縁によって、屈曲係合部５９を上方に移動させようとする力を、前後方向について均等に受けることができる。この結果、押え部５４が前後方向に歪むことを抑制できる。これにより、端子１２と電線１１との電気的な接続信頼性が低下することを抑制できる。
【００７１】
本実施形態によれば、天井壁５３は右側壁５２に向かって突出する係合突片５６を有し、右側壁５２は係合突片５６を受け入れる係合孔５５を有する。
【００７２】
係合突片５６が係合孔５５の孔縁と係合することにより、右側壁５２が開き変形することを抑制することができる。
【００７３】
本実施形態によれば、上側加圧部２５Ａは天井壁５３に設けられている。
【００７４】
電線１１を加圧する上側加圧部２５Ａが設けられた天井壁５３が開くことを確実に抑制できる。
【００７５】
本実施形態によれば、スライド部１６は、端子本体１５に対して、前後方向に沿ってスライド可能に配されている。
【００７６】
本実施形態によれば、スライド部１６をスライドさせるという簡易な手法により、端子１２と電線１１とを接続できるので、端子１２と電線１１との接続作業の効率を向上させることができる。
【００７７】
＜他の実施形態＞
本開示は上記記述および図面によって説明された実施形態に限定されるものではなく、例えば次のような実施形態も本明細書に開示された技術の技術的範囲に含まれる。
【００７８】
（１）本実施形態では、左側壁５１が第１側壁とされ、右側壁５２が第２側壁とされたが、これに限られず、右側壁５２が第１側壁とされて天井壁５３を有し、左側壁５１が第２側壁とされて押え部５４を有する構成としてもよい。
【００７９】
（２）本実施形態では、屈曲部５７の下端部に設けられた屈曲係合部５９は、前方および後方の双方に突出する構成としたが、これに限られず、屈曲部５７に設けられた屈曲係合部５９は前方にのみ突出する構成としてもよく、また、後方にのみ突出する構成としてもよい。
【００８０】
（３）端子１２は、１つ、または３つ以上の挟持部を有する構成としてもよい。
【００８１】
（４）端子１２は、雄タブを有する雄端子でもよい。
【００８２】
（５）屈曲部５７が第１側壁の外面に沿うように延びて、屈曲係合部５９が第１側壁に向かって延びて第１側壁を貫通する構成としてもよい。
【符号の説明】
【００８３】
１０：  端子付き電線
１１：  電線
１２,１１２：  端子
１３,１１３：  芯線
１４：  絶縁被覆
１５：  端子本体
１６，１１６：  スライド部（シェルの一例）
１７：  接続筒部
１８Ａ，１１８Ａ：  上側挟持部
１８Ｂ，１１８Ｂ：  下側挟持部
２０：  電線接続部
２３Ａ：  上側保持突部
２３Ｂ：  下側保持突部
２５Ａ：  上側加圧部
２５Ｂ：  下側加圧部
２６：  仮係止受け部
２７：  本係止受け部
２８：  係止突起
４５：  治具
４６：  治具接触部
４７：  誘い込み部
５０，１５０：  底壁
５１，１５１：  左側壁（第１側壁の一例）
５２，１５２：  右側壁（第２側壁の一例）
５３，１５３：  天井壁
５４：  押え部
５５：  係合孔
５６：  係合突片
５７：  屈曲部
５８：  受け凹部
５９：  屈曲係合部
６０：  筒部
６１：  天井壁の下面（内壁の一例）
６２：  底壁の上面（内壁の一例）
７０：  金属板材
【図１】
2020202128.tif 000003
【図２】
2020202128.tif 000004
【図３】
2020202128.tif 000005
【図４】
2020202128.tif 000006
【図５】
2020202128.tif 000007
【図６】
2020202128.tif 000008
【図７】
2020202128.tif 000009
【図８】
2020202128.tif 000010
【図９】
2020202128.tif 000011
【図１０】
2020202128.tif 000012
【図１１】
2020202128.tif 000013
【図１２】
2020202128.tif 000014